(57)【特許請求の範囲】
【請求項１】
血管撮影対象の被検体を寝かせる血管撮影天板と、その血管撮影天板に寝かせた被検体を挟んで血管撮影するためのＸ線管およびＸ線受像装置を備えた血管撮影アームと、ＣＴ撮影対象の被検体を寝かせるＣＴ撮影天板と、そのＣＴ撮影天板に寝かせた被検体をＣＴ撮影するためのＸ線管およびＸ線検出器を備えたＣＴガントリと、少なくとも前記ＣＴガントリを移動させて前記血管撮影天板に寝かせた被検体を前記ＣＴガントリでＣＴ撮影可能とさせる移動手段とを具備し、
前記血管撮影天板と前記血管撮影アームとが設置された血管撮影室と、前記ＣＴ撮影天板と前記ＣＴガントリとが設置されたＣＴ撮影室とが隣接して配され、両室の境界壁にＸ線防護電動ドアが設けられ、前記血管撮影天板の長手方向および前記ＣＴ撮影天板の長手方向が前記境界壁に平行であり、
前記移動手段は、前記Ｘ線防護電動ドアを開けて前記血管撮影室と前記ＣＴ撮影室の間で前記ＣＴガントリを前記境界壁に垂直に移動させるものであることを特徴とする血管撮影・ＣＴ装置。
【発明の詳細な説明】
【０００１】
【発明の属する技術分野】
本発明は、血管撮影・ＣＴ装置に関し、さらに詳しくは、血管撮影するための血管撮影アームとＣＴ撮影するためのＣＴガントリとを有効利用できると共に検査効率を向上することができる血管撮影・ＣＴ装置に関する。
【０００２】
【従来の技術】
欧州特許公開第ＥＰ０９１９１８５Ａ１号公報には、被検体を寝かせる天板と、その天板に寝かせた被検体を垂直方向に挟んで血管撮影するためのＸ線管およびＸ線受像装置を備えた正面方向アームと、前記天板に寝かせた被検体をＣＴ撮影するためのＸ線管およびＸ線検出器を備えたＣＴガントリと、前記天板をその長手方向に水平移動可能とする天板移動手段とを具備した血管撮影・ＣＴ装置が開示されている。
【０００３】
前記血管撮影・ＣＴ装置によれば、前記天板移動手段により前記天板を前記正面方向アームの位置に移動して、正面方向プレーンでの血管撮影を行うことが出来る。また、前記天板移動手段により前記天板を前記ＣＴガントリの位置に移動して、ＣＴ撮影を行うことが出来る。よって、前記天板を交互に移動することにより、血管撮影することとＣＴ撮影することとを、例えば５分間毎に、交互に実行することが出来る。
【０００４】
【発明が解決しようとする課題】
上記従来の血管撮影・ＣＴ装置では、正面方向アームで血管撮影中の被検体とは別の被検体をＣＴガントリに入れたり、ＣＴガントリで血管撮影中の被検体とは別の被検体を正面方向アームに位置付けることが出来なかったため、血管撮影だけを行う場合、正面方向アームのみが使用され、ＣＴガントリは全く使用されていなかった。また逆に、ＣＴ撮影だけを行う場合、ＣＴガントリのみが使用され、正面方向アームは全く使用されていなかった。
しかし、これは、血管撮影は行わないがＣＴ撮影したい被検体がいるにもかかわらず、ＣＴガントリが使用されていないということであり、高価なＣＴガントリを有効利用していない問題点がある。また、ＣＴ撮影は行わないが血管撮影したい被検体がいるにもかかわらず、正面方向アームが使用されていないということであり、高価な正面方向アームを有効利用していない問題点がある。
そこで、本発明の目的は、血管撮影アームとＣＴガントリとをそれぞれ別の被検体に対して独立に使用可能とし、それにより両者を有効利用できると共に検査効率を向上することができる血管撮影・ＣＴ装置を提供することにある。
【０００５】
【課題を解決するための手段】
第１の観点では、本発明は、血管撮影対象の被検体を寝かせる血管撮影天板と、その血管撮影天板に寝かせた被検体を挟んで血管撮影するためのＸ線管およびＸ線受像装置を備えた血管撮影アームと、ＣＴ撮影対象の被検体を寝かせるＣＴ撮影天板と、そのＣＴ撮影天板に寝かせた被検体をＣＴ撮影するためのＸ線管およびＸ線検出器を備えたＣＴガントリと、前記血管撮影天板または前記血管撮影アームまたは前記ＣＴ撮影天板または前記ＣＴガントリを移動させて前記血管撮影天板に寝かせた被検体を前記ＣＴガントリでＣＴ撮影可能とさせるか又は前記ＣＴ撮影天板に寝かせた被検体を前記血管撮影アームで血管撮影可能とさせる移動手段とを具備したことを特徴とする血管撮影・ＣＴ装置を提供する。
上記第１の観点による血管撮影・ＣＴ装置では、血管撮影天板とＣＴ撮影天板とを別個に有し、それぞれで独立に血管撮影とＣＴ撮影を行うことが出来る。さらに、移動手段を利用すれば、血管撮影天板でＣＴ撮影を行ったり、ＣＴ撮影天板で血管撮影を行うことも出来るので、従来の血管撮影・ＣＴ装置と同様に、例えば血管撮影天板に寝た被検体に対して血管撮影することとＣＴ撮影することとを５分間毎に交互に実行することも出来る。よって、血管撮影アームとＣＴガントリとを有効利用できると共に検査効率を向上することが出来る。
なお、上記第１の観点は、見方を変えれば、血管撮影天板または血管撮影アームまたはＣＴ撮影天板またはＣＴガントリを移動させて、前記血管撮影天板に寝かせた被検体を前記ＣＴガントリでＣＴ撮影するか、又は、前記ＣＴ撮影天板に寝かせた被検体を前記血管撮影アームで血管撮影することを特徴とする血管撮影・ＣＴ撮影方法を提供する。
【０００６】
第２の観点では、本発明は、上記第１の観点の血管撮影・ＣＴ装置において、前記血管撮影天板と前記血管撮影アームとが血管撮影室に設置され、前記ＣＴ撮影天板と前記ＣＴガントリとがＣＴ撮影室に設置され、前記移動手段が、前記血管撮影室と前記ＣＴ撮影室の間で前記血管撮影天板または前記血管撮影アームまたは前記ＣＴ撮影天板または前記ＣＴガントリを移動可能とすることを特徴とする血管撮影・ＣＴ装置を提供する。
上記第２の観点による血管撮影・ＣＴ装置では、血管撮影室とＣＴ撮影室を別個に設けているので、血管撮影室の被検体とＣＴ撮影室の被検体を完全に隔離して血管撮影とＣＴ撮影を独立に行うことが出来る。また、血管撮影室でＣＴ撮影を行ったり、ＣＴ撮影室で血管撮影を行うことも出来るので、従来の血管撮影・ＣＴ装置と同様に、例えば血管撮影天板に寝た被検体に対して血管撮影することとＣＴ撮影することとを５分間毎に交互に実行することも出来る。よって、血管撮影アームとＣＴガントリとを有効利用できると共に検査効率を向上することが出来る。
なお、上記第２の観点は、見方を変えれば、血管撮影天板と血管撮影アームとを血管撮影室に設置し、ＣＴ撮影天板とＣＴガントリとをＣＴ撮影室に設置し、前記血管撮影室と前記ＣＴ撮影室の間で、前記血管撮影天板または前記血管撮影アームまたは前記ＣＴ撮影天板または前記ＣＴガントリを移動することを特徴とする血管撮影・ＣＴ撮影方法を提供する。
【０００７】
第３の観点では、本発明は、上記第２の観点の血管撮影・ＣＴ装置において、前記血管撮影室と前記ＣＴ撮影室とが隣接し、両室の境界壁にＸ線防護電動ドアが設けられ、そのＸ線防護電動ドアを開けて前記血管撮影室と前記ＣＴ撮影室の間で前記血管撮影天板または前記血管撮影アームまたは前記ＣＴ撮影天板または前記ＣＴガントリが移動可能であることを特徴とする血管撮影・ＣＴ装置を提供する。
上記第３の観点による血管撮影・ＣＴ装置では、血管撮影室とＣＴ撮影室とを隣接させているので、移動距離・移動時間が最短で済む。また、Ｘ線防護電動ドアを設けているので、移動時以外は、血管撮影室の被検体とＣＴ撮影室の被検体を完全に隔離でき、不要なＸ線被曝も防止できる。
なお、上記第３の観点は、見方を変えれば、血管撮影室とＣＴ撮影室とを隣接させ、両室の境界壁にＸ線防護電動ドアを設け、そのＸ線防護電動ドアを開けて前記血管撮影室と前記ＣＴ撮影室の間で、前記血管撮影天板または前記血管撮影アームまたは前記ＣＴ撮影天板または前記ＣＴガントリを移動することを特徴とする血管撮影・ＣＴ撮影方法を提供する。
【０００８】
第４の観点では、本発明は、上記第３の観点の血管撮影・ＣＴ装置において、前記血管撮影天板の長手方向および前記ＣＴ撮影天板の長手方向が前記境界壁に平行であり、前記移動手段が、前記ＣＴガントリを前記境界壁に垂直に移動させることを特徴とする血管撮影・ＣＴ装置を提供する。
ＣＴガントリは、被検体の入る方向の面を正面とするとき、その正面が幅広であり、側面が幅狭である。
上記第４の観点による血管撮影・ＣＴ装置では、ＣＴガントリの側面を前後にして移動できるため、Ｘ線防護電動ドアの幅を狭くでき、血管撮影室とＣＴ撮影室の分離に好都合となる。
なお、上記第４の観点は、見方を変えれば、血管撮影天板の長手方向およびＣＴ撮影天板の長手方向を境界壁に平行とし、ＣＴガントリを前記境界壁に垂直に移動することを特徴とする血管撮影・ＣＴ撮影方法を提供する。
【０００９】
第５の観点では、本発明は、血管撮影対象の被検体を寝かせる血管撮影天板と、その血管撮影天板に寝かせた被検体を垂直方向に挟んで血管撮影するためのＸ線管およびＸ線受像装置を備えた正面方向アームと、前記血管撮影天板に寝かせた被検体を水平方向に血管撮影するためのＸ線管およびＸ線受像装置を備えた側面方向アームと、ＣＴ撮影対象の被検体を寝かせるＣＴ撮影天板と、そのＣＴ撮影天板に寝かせた被検体をＣＴ撮影するためのＸ線管およびＸ線検出器を備えたＣＴガントリと、前記血管撮影天板または前記正面方向アームまたは前記側面方向アームまたは前記ＣＴ撮影天板または前記ＣＴガントリを移動させて前記血管撮影天板に寝かせた被検体を前記ＣＴガントリでＣＴ撮影可能とさせるか又は前記ＣＴ撮影天板に寝かせた被検体を前記正面方向アームまたは前記側面方向アームで血管撮影可能とさせる移動手段とを具備したことを特徴とする血管撮影・ＣＴ装置を提供する。
上記第５の観点による血管撮影・ＣＴ装置では、血管撮影天板とＣＴ撮影天板とを別個に有し、それぞれで独立に血管撮影とＣＴ撮影を行うことが出来る。さらに、移動手段を利用すれば、血管撮影天板でＣＴ撮影を行ったり、ＣＴ撮影天板で血管撮影を行うことも出来るので、従来の血管撮影・ＣＴ装置と同様に、例えば血管撮影天板に寝た被検体に対して血管撮影することとＣＴ撮影することとを５分間毎に交互に実行することも出来る。よって、血管撮影アームとＣＴガントリとを有効利用できると共に検査効率を向上することが出来る。さらに、正面方向アームと側面方向アームとを備えたことにより、正面方向プレーンおよび側面方向プレーンの２つのプレーン（＝バイプレーン：biplane）での同時血管撮影も可能になる。
なお、上記第５の観点は、見方を変えれば、血管撮影天板または正面方向アームまたは側面方向アームまたはＣＴ撮影天板またはＣＴガントリを移動させて、前記血管撮影天板に寝かせた被検体を前記ＣＴガントリでＣＴ撮影するか、又は、前記ＣＴ撮影天板に寝かせた被検体を前記血管撮影アームで血管撮影することを特徴とする血管撮影・ＣＴ撮影方法を提供する。
【００１０】
第６の観点では、本発明は、上記第５の観点の血管撮影・ＣＴ装置において、前記血管撮影天板と前記正面方向アームと前記側面方向アームとが血管撮影室に設置され、前記ＣＴ撮影天板と前記ＣＴガントリとがＣＴ撮影室に設置され、前記移動手段が、前記血管撮影室と前記ＣＴ撮影室の間で前記血管撮影天板または前記正面方向アームまたは前記側面方向アームまたは前記ＣＴ撮影天板または前記ＣＴガントリを移動可能とすることを特徴とする血管撮影・ＣＴ装置を提供する。
上記第６の観点による血管撮影・ＣＴ装置では、血管撮影室とＣＴ撮影室を別個に設けているので、血管撮影室の被検体とＣＴ撮影室の被検体を完全に隔離して血管撮影とＣＴ撮影を独立に行うことが出来る。また、血管撮影室でＣＴ撮影を行ったり、ＣＴ撮影室で血管撮影を行うことも出来るので、従来の血管撮影・ＣＴ装置と同様に、例えば血管撮影天板に寝た被検体に対して血管撮影することとＣＴ撮影することとを５分間毎に交互に実行することも出来る。よって、血管撮影アームとＣＴガントリとを有効利用できると共に検査効率を向上することが出来る。
なお、上記第６の観点は、見方を変えれば、血管撮影天板と正面方向アームと側面方向アームとを血管撮影室に設置し、ＣＴ撮影天板とＣＴガントリとをＣＴ撮影室に設置し、前記血管撮影室と前記ＣＴ撮影室の間で、前記血管撮影天板または前記正面方向アームまたは前記側面方向アームまたは前記ＣＴ撮影天板または前記ＣＴガントリを移動することを特徴とする血管撮影・ＣＴ撮影方法を提供する。
【００１１】
第７の観点では、本発明は、上記第６の観点の血管撮影・ＣＴ装置において、前記血管撮影室と前記ＣＴ撮影室とが隣接し、両室の境界壁にＸ線防護電動ドアが設けられ、そのＸ線防護電動ドアを開けて前記血管撮影室と前記ＣＴ撮影室の間で前記血管撮影天板または前記正面方向アームまたは前記側面方向アームまたは前記ＣＴ撮影天板または前記ＣＴガントリが移動可能であることを特徴とする血管撮影・ＣＴ装置を提供する。
上記第７の観点による血管撮影・ＣＴ装置では、血管撮影室とＣＴ撮影室とを隣接させているので、移動距離・移動時間が最短で済む。また、Ｘ線防護電動ドアを設けているので、移動時以外は、血管撮影室の被検体とＣＴ撮影室の被検体を完全に隔離でき、不要なＸ線被曝も防止できる。
なお、上記第７の観点は、見方を変えれば、血管撮影室とＣＴ撮影室とを隣接させ、両室の境界壁にＸ線防護電動ドアを設け、そのＸ線防護電動ドアを開けて前記血管撮影室と前記ＣＴ撮影室の間で、前記血管撮影天板または前記正面方向アームまたは前記側面方向アームまたは前記ＣＴ撮影天板または前記ＣＴガントリを移動することを特徴とする血管撮影・ＣＴ撮影方法を提供する。
【００１２】
第８の観点では、本発明は、上記第７の観点の血管撮影・ＣＴ装置において、前記血管撮影天板の長手方向および前記ＣＴ撮影天板の長手方向が前記境界壁に平行であり、前記移動手段が、前記ＣＴガントリを前記境界壁に垂直に移動させることを特徴とする血管撮影・ＣＴ装置を提供する。
ＣＴガントリは、被検体の入る方向の面を正面とするとき、その正面が幅広であり、側面が幅狭である。
上記第８の観点による血管撮影・ＣＴ装置では、ＣＴガントリの側面を前後にして移動できるため、Ｘ線防護電動ドアの幅を狭くでき、血管撮影室とＣＴ撮影室の分離に好都合となる。
なお、上記第８の観点は、見方を変えれば、血管撮影天板の長手方向およびＣＴ撮影天板の長手方向を境界壁に平行とし、ＣＴガントリを前記境界壁に垂直に移動することを特徴とする血管撮影・ＣＴ撮影方法を提供する。
【００１３】
前記血管撮影天板は、被検体の乗り降りを楽にするために、昇降可能とするのが好ましい。
前記血管撮影天板は、被検体の乗り降りを楽にするために、水平回転可能とするのが好ましい。
【００１４】
正面方向アームを床に固定した軸で軸回動するように設置し、側面方向アームを天井走行するように設置し、ＣＴガントリを床走行するように設置すると共に、正面方向アームと側面方向アームとＣＴガントリが干渉するのを回避するように動きを制御する制御手段を設けるのが好ましい。
【００１５】
【発明の実施の形態】
以下、図に示す発明の実施の形態により本発明をさらに詳細に説明する。なお、これにより本発明が限定されるものではない。
図１は、本発明の一実施形態にかかるバイプレーン血管撮影・ＣＴ装置１００の斜視図である。
このバイプレーン血管撮影・ＣＴ装置１００は、血管撮影対象の被検体Ｈａを寝かせる血管撮影テーブル装置１０と、その血管撮影テーブル装置１０に寝かせた被検体Ｈａを垂直方向に挟んで血管撮影するためのＸ線管およびＸ線受像装置を備えた正面方向アーム２０と、前記血管撮影テーブル装置１０に寝かせた被検体Ｈａを水平方向に血管撮影するためのＸ線管およびＸ線受像装置を備えた側面方向アーム３０と、ＣＴ撮影対象の被検体Ｈｃを寝かせるＣＴ撮影テーブル装置６０と、そのＣＴ撮影テーブル装置６０に寝かせた被検体ＨｃをＣＴ撮影するためのＸ線管およびＸ線検出器を備えたＣＴガントリ４０と、そのＣＴガントリ４０を移動させて前記血管撮影テーブル装置１０に寝かせた被検体Ｈａを前記ＣＴガントリ４０でＣＴ撮影可能とさせるための床面レール４５と、血管撮影室Ｒａでの血管撮影やＣＴ撮影を制御するための制御装置７０ａと、ＣＴ撮影室ＲｃでのＣＴ撮影を制御するための制御装置７０ｂとを具備して構成される。
【００１６】
前記血管撮影テーブル装置１０、前記正面方向アーム２０、前記側面方向アーム３０および前記制御装置７０ａは、血管撮影室Ｒａに設置されている。
前記ＣＴ撮影テーブル装置６０、前記ＣＴガントリ４０および前記制御装置７０ｂは、ＣＴ撮影室Ｒｃに設置されている。
前記床面レール４５は、前記血管撮影室Ｒａと前記ＣＴ撮影室Ｒｃとに跨って設置されている。
【００１７】
前記血管撮影室Ｒａと前記ＣＴ撮影室Ｒｃとは、Ｘ線を遮蔽しうる境界壁ＷおよびＸ線防護電動ドアＤを介して隣接している。
【００１８】
前記血管撮影テーブル装置１０は、被検体Ｈａを寝かせる天板の長手方向が前記境界壁Ｗに平行になるような向きで設置され、前記天板をその長手方向に水平移動させると共に昇降させることが出来る。
【００１９】
前記正面方向アーム２０は、Ｘ線管およびＸ線受像装置が両端にそれぞれ取り付けられているフロンタルＣアームと、水平回動可能に床面に設置され前記フロンタルＣアームをその円弧に沿って回動可能に支持するＬアームとを具備している。
【００２０】
前記側面方向アーム３０は、Ｘ線管およびＸ線受像装置が両端にそれぞれ取り付けられているラテラルＣアームと、天井レール３５に沿って走行可能に天井に設置され前記ラテラルＣアームをその円弧に沿って回動可能に支持する走行機とを具備している。ここで、前記天井レール３５は、前記境界壁Ｗに平行な方向に延設されている。
【００２１】
前記ＣＴ撮影テーブル装置６０は、被検体Ｈｃを寝かせる天板の長手方向が前記境界壁Ｗに平行になるような向きで設置され、前記天板をその長手方向に水平移動させると共に昇降させることが出来る。
【００２２】
前記ＣＴガントリ４０は、前記Ｘ線防護電動ドアＤを開けると、前記床面レール４５に沿って前記境界壁Ｗに垂直な方向に移動でき、前記ＣＴ撮影室Ｒｃおよび前記血管撮影室Ｒａのいずれにでも位置できる。
【００２３】
前記制御装置７０ａは、血管撮影テーブル装置１０の天板の位置，角度，高さ、前記正面方向アーム２０の位置，角度、前記側面方向アーム３０の位置，角度、前記ＣＴガントリ４０の位置，チルト角をモニタする監視機能を有しており、装置および被検体を安全に保つようにインターロック制御し、必要に応じてアラーム表示や操作ガイドを行う。
【００２４】
前記制御装置７０ｂは、前記ＣＴガントリ４０の位置，チルト角をモニタする監視機能を有しており、装置および被検体を安全に保つようにインターロック制御し、必要に応じてアラーム表示や操作ガイドを行う。
【００２５】
図２は、血管撮影室Ｒａでの被検体Ｈａに対する血管撮影とＣＴ撮影室Ｒｃでの被検体Ｈｃに対するＣＴ撮影とを独立に行う場合を示す平面図である。
血管撮影室Ｒａでは、正面方向アーム２０で被検体Ｈａを垂直方向に挟んで血管撮影すると共に側面方向アーム３０で被検体Ｈａを水平方向に挟んで血管撮影する。この時、制御装置７０ａは、血管撮影テーブル装置１０と正面方向アーム２０と側面方向アーム３０とを制御する。
一方、ＣＴ撮影室Ｒｃでは、ＣＴガントリ４０で被検体ＨｃをＣＴ撮影する。このとき、制御装置７０ｂは、ＣＴガントリ４０を制御する。
【００２６】
図３は、ＣＴ撮影室Ｒｃから血管撮影室ＲａへＣＴガントリ４０が移動する状態を示す平面図である。
(1) まず、制御装置７０ｂの制御により、ＣＴガントリ４０の移動を妨げない位置にＣＴ撮影テーブル６０が退避する。この退避が終わると、制御装置７０ｂは、制御装置７０ａに対して「ＣＴガントリ移動許可」を発行する。
(2) 一方、制御装置７０ａの制御により、ＣＴガントリ４０の移動を妨げない位置に血管撮影テーブル１０および側面方向アーム３０が退避する。
(3) 血管撮影テーブル１０および側面方向アーム３０の退避が終わり且つ制御装置７０ｂから「ＣＴガントリ移動許可」が発行されていると、操作者の指示に基づいて制御装置７０ａがＸ線防護電動ドアＤを開けることが可能になる。
(4) Ｘ線防護電動ドアＤが完全に開いた状態になると、操作者の指示に基づいて制御装置７０ａがＣＴガントリ４０を血管撮影室Ｒａに移動させることが可能になる。
(5) ＣＴガントリ４０が血管撮影室Ｒａに移動し終わると、操作者の指示に基づいて制御装置７０ａがＸ線防護電動ドアＤを閉じることが可能になる。
【００２７】
図４は、血管撮影室Ｒａで被検体Ｈａに対して血管撮影とＣＴ撮影とを交互に行う場合を示す平面図である。
血管撮影室Ｒａでは、正面方向アーム２０で被検体Ｈａを挟んで血管撮影することが出来る。また、ＣＴガントリ４０で被検体ＨａをＣＴ撮影することが出来る。このとき、制御装置７０ａは、血管撮影テーブル装置１０と正面方向アーム２０とＣＴガントリ４０を制御する。
【００２８】
血管撮影室ＲａからＣＴ撮影室ＲｃへＣＴガントリ４０を戻す場合の制御は、図３と逆になる。
(1) まず、制御装置７０ａの制御により、ＣＴガントリ４０の移動を妨げない位置に血管撮影テーブル１０が退避する。この退避が終わると、制御装置７０ａは、制御装置７０ｂに対して「ＣＴガントリ移動許可」を発行する。
(2) 一方、制御装置７０ｂの制御により、ＣＴガントリ４０の移動を妨げない位置にＣＴ撮影テーブル６０が退避する。
(3) ＣＴ撮影テーブル６０の退避が終わり且つ制御装置７０ａから「ＣＴガントリ移動許可」が発行されていると、操作者の指示に基づいて制御装置７０ｂがＸ線防護電動ドアＤを開けることが可能になる。
(4) Ｘ線防護電動ドアＤが完全に開いた状態になると、操作者の指示に基づいて制御装置７０ｂがＣＴガントリ４０をＣＴ撮影室Ｒｃに移動させることが可能になる。
(5) ＣＴガントリ４０がＣＴ撮影室Ｒｃに移動し終わると、操作者の指示に基づいて制御装置７０ｃがＸ線防護電動ドアＤを閉じることが可能になる。
【００２９】
以上のバイプレーン血管撮影・ＣＴ装置１００によれば、次の効果が得られる。
（１）血管撮影室Ｒａでの血管撮影とＣｔ撮影室ＲｃでのＣＴ撮影を独立に行うことが出来ると共に、血管撮影室Ｒａで血管撮影とＣＴ撮影とを例えば５分間毎に交互に実行することも出来る。よって、正面方向アーム２０と側面方向アーム３０とＣＴガントリ４０とを有効利用でき、検査効率を向上することが出来る。
（２）正面方向アーム２０と側面方向アーム３０とを備えたことにより、正面方向プレーンおよび側面方向プレーンの２つのプレーンでの同時血管撮影が可能になる。
（３）血管撮影室Ｒａの被検体ＨａとＣＴ撮影室Ｒｃの被検体Ｈｃを完全に隔離して血管撮影とＣＴ撮影を独立に行うことが出来る。
（４）血管撮影室ＲａとＣＴ撮影室Ｒｃとを隣接させているので、移動距離・移動時間が最短で済む。また、Ｘ線防護電動ドアＤを設けているので、移動時以外は、血管撮影室Ｒａの被検体ＨａとＣＴ撮影室Ｒｃの被検体Ｈｃを完全に隔離でき、不要なＸ線被曝も防止できる。
（５）ＣＴガントリ４０の幅狭の側面を前後にして移動できるため、Ｘ線防護電動ドアＤの幅を狭くでき、血管撮影室ＲａとＣＴ撮影室Ｒｃの分離に好都合となる。
【００３０】
−他の実施形態−
上記実施形態では、ＣＴガントリ４０を移動させたが、ＣＴガントリ４０の移動の代わりに又はそれに加えて、血管撮影テーブル装置１０または正面方向アーム２０または側面方向アーム３０またはＣＴ撮影テーブル装置６０を移動するようにしてもよい。
【００３１】
【発明の効果】
本発明の血管撮影・ＣＴ装置によれば、別個の被検体に対して血管撮影とＣＴ撮影とを独立に行うことが出来ると共に、同一の被検体に対して血管撮影とＣＴ撮影とを交互に行うことも出来る。よって、血管撮影アームとＣＴガントリとを有効利用でき、検査効率を向上することが出来る。
【図面の簡単な説明】
【図１】本発明の一実施形態に係るバイプレーン血管撮影・ＣＴ装置の斜視図である。
【図２】血管撮影室での被検体に対する血管撮影とＣＴ撮影室での被検体に対するＣＴ撮影とを独立に行う場合を示す平面図である。
【図３】ＣＴ撮影室から血管撮影室へＣＴガントリが移動する状態を示す平面図である。
【図４】血管撮影室で被検体に対して血管撮影とＣＴ撮影とを交互に行う場合を示す平面図である。
【符号の説明】
１０                    撮影テーブル装置
２０                    正面方向アーム
３０                    側面方向アーム
３５                    天井レール
４０                    ＣＴガントリ
４５                    床面レール
７０ａ，７０ｃ          制御装置
１００                  バイプレーン血管撮影・ＣＴ装置
Ｄ                      Ｘ線防護電動ドア
Ｒａ                    血管撮影室
Ｒｃ                    ＣＴ撮影室
Ｗ                      境界壁
【図１】
0003930216.tif 000002
【図２】
0003930216.tif 000003
【図３】
0003930216.tif 000004
【図４】
0003930216.tif 000005